(57)【特許請求の範囲】
【請求項１】
給紙部から感光体上の画像を転写紙表面側に転写する転写部へ至る転写紙搬送経路上に配置した一対の紙搬送ローラと、この一対の紙搬送ローラそれぞれに接触するシート状の非導電性のクリーニング部材とを有し、前記一対の紙搬送ローラで転写紙表面側に当接する第１ローラの帯電極性が紙搬送時に転写紙が帯電する極性と逆極性になり、前記一対の紙搬送ローラで他方の第２ローラの帯電極性が紙搬送時に転写紙が帯電する極性と同極性になるように、前記一対の紙搬送ローラのそれぞれを非導電性の異なる材質で構成したことを特徴とする電子写真複写装置。
【請求項２】
前記第１ローラに押し付けて当接配設するシート状の非導電性の第１クリーニング部材は前記第１ローラとの接触点を前記第１ローラの中心を通る水平線よりも前記第１ローラの回転下流側で、かつ前記一対の紙搬送ローラの接触点より上流側とし、前記第２ローラに押し付けて当接配設するシート状の非導電性の第２クリーニング部材は前記第２ローラとの接触点を前記第２ローラの中心より垂下した垂直軸線よりも前記第２ローラの回転下流側で、かつ前記第２ローラの中心を通る水平線より回転上流側としたことを特徴とする請求項１に記載の電子写真複写装置。
【発明の詳細な説明】
【０００１】
【発明の属する技術分野】
本発明は電子写真複写装置の紙搬送における紙粉除去に関するものである。
【０００２】
【従来の技術】
一般的に電子写真複写装置においては、転写紙が給紙ユニット部から転写部へと搬送されるのであるが、その間に給紙ローラ、中間ローラやレジストローラあるいは給紙ガイド板や搬送ガイド板との摩擦接触などによって転写紙表面やエッジに紙粉が発生する。
【０００３】
このような紙粉の付着した転写紙をそのまま転写部にまで搬送すると、紙粉が感光体表面に転移し、その紙粉がクリーニングブレードのエッジと感光体表面との間に蓄積し、クリーニング不良や感光体表面キズを発生させたり、またトナーリサイクルタイプの装置ではクリーニング部から回収されたトナーにより現像剤中に紙粉が混入し、画像欠陥を発生させる原因になるなどの問題が生じる。
【０００４】
このような問題を解決するために、従来、紙搬送ローラの上ローラのみにクリーニング部材を取り付け、ローラに付着した紙粉を除去していたものや、紙搬送ローラの上ローラを双極帯電する高価な帯電ローラを用いて紙粉を除去していたものが提案されていた。
【０００５】
【発明が解決しようとする課題】
しかしながら上記従来の構成では、転写紙が感光体に接触する転写紙上面に対応する紙搬送ローラの上ローラのみにクリーニング部材や帯電ローラが取り付けてあるので、下ローラに付着した紙粉や上ローラから転移した紙粉が再度上ローラに再転移して効果的な除去が期待できなかった。また、小径の双極帯電する高価な帯電ローラでは紙粉を除去するための電界効果が減少する方向にあり効果的な除去が期待できなかった。加えて、紙粉のクリーニング部材の押圧の仕方では、クリーニングニップの有効な幅が期待できないし、ローラとクリーニング部材との間に蓄積し擦り逃げていくことがあり効果的な除去ができないといった課題を有していた。
【０００６】
本発明は上記従来の課題を解決するもので、さらに確実に紙粉を吸着除去することのできる電子写真複写装置を提供することを目的とする。
【０００７】
【課題を解決するための手段】
この課題を解決するために本発明の電子写真複写装置は、給紙部から感光体上の画像を転写紙表面側に転写する転写部へ至る転写紙搬送経路上に配置した一対の紙搬送ローラと、この一対の紙搬送ローラそれぞれに接触するシート状の非導電性のクリーニング部材とを有し、前記一対の紙搬送ローラで転写紙表面側に当接する第１ローラの帯電極性が紙搬送時に転写紙が帯電する極性と逆極性になり、前記一対の紙搬送ローラで他方の第２ローラの帯電極性が紙搬送時に転写紙が帯電する極性と同極性になるように、前記一対の紙搬送ローラのそれぞれを非導電性の異なる材質で構成したものである。
【０００８】
また、前記第１ローラに押し付けて当接配設するシート状の非導電性の第１クリーニング部材は前記第１ローラとの接触点を前記第１ローラの中心を通る水平線よりも前記第１ローラの回転下流側で、かつ前記一対の紙搬送ローラの接触点より上流側とし、前記第２ローラに押し付けて当接配設するシート状の非導電性の第２クリーニング部材は前記第２ローラとの接触点を前記第２ローラの中心より垂下した垂直軸線よりも前記第２ローラの回転下流側で、かつ前記第２ローラの中心を通る水平線より回転上流側としたものである。
【０００９】
【発明の実施の形態】
本発明の請求項１に記載の発明は、給紙部から感光体上の画像を転写紙表面側に転写する転写部へ至る転写紙搬送経路上に配置した一対の紙搬送ローラと、この一対の紙搬送ローラそれぞれに接触するシート状の非導電性のクリーニング部材とを有し、前記一対の紙搬送ローラで転写紙表面側に当接する第１ローラの帯電極性が紙搬送時に転写紙が帯電する極性と逆極性になり、前記一対の紙搬送ローラで他方の第２ローラの帯電極性が紙搬送時に転写紙が帯電する極性と同極性になるように、前記一対の紙搬送ローラのそれぞれを非導電性の異なる材質で構成したものである。これにより、転写紙表面側に付着している紙粉は、第１ローラ、第２ローラおよび紙粉自身による電界により、第１ローラへと確実に静電吸着され、第１ローラに吸着した紙粉はシート状のクリーニング部材によって第１ローラの表面から分離除去される。従って、転写紙から生じた紙粉を効率よく吸着して確実に転写紙表面から除去することができるという作用を有する。
【００１０】
本発明の請求項２に記載の発明は、前記第１ローラに押し付けて当接配設するシート状の非導電性の第１クリーニング部材は前記第１ローラとの接触点を前記第１ローラの中心を通る水平線よりも前記第１ローラの回転下流側で、かつ前記一対の紙搬送ローラの接触点より上流側とし、前記第２ローラに押し付けて当接配設するシート状の非導電性の第２クリーニング部材は前記第２ローラとの接触点を前記第２ローラの中心より垂下した垂直軸線よりも前記第２ローラの回転下流側で、かつ前記第２ローラの中心を通る水平線より回転上流側とするものである。これにより、押し付けて取付けてある薄いシートとローラ自身の回転力利用という簡単な構成で、紙粉を除去するための十分なニップ幅を確保できるとともに、除去された紙粉が自重でニップ位置より吐き出され、取り除かれた紙粉が溜り過ぎないようになる。従って、紙搬送ローラそれぞれの表面に付着した紙粉を確実に除去分離することができるという作用を有する。
【００１１】
以下、本発明の一実施例について図面を参照しながら説明する。図１は電子写真複写装置の構成の概略を示すもので、この図にもとづいて装置の動作の概略を説明する。
【００１２】
原稿台ガラス１の上に被複写書類（以下原画という）が載置され、露光ランプ２により露光され、レンズ３よりなる光学系により原画が感光体ドラム４の上に投影される。感光体ドラム４は帯電器５により所定の値に帯電され矢印の方向に回転している。原画の光学像が投影され、投影された原画に相当する静電潜像が感光体ドラム４の上に形成され、ついで現像器６の現像ローラにより静電潜像は現像剤で現像され、感光体ドラム４上でトナーにより可視化された複写画像となる。一方、給紙カセット７より給紙された転写紙８は給紙ローラ９、１０、１１、１２および紙搬送ガイド板１３、１４を経て、紙搬送ローラ１５により感光体ドラム４上でトナーにより可視化された複写画像と同期されて転写部１６に送り出される。転写部１６にて転写紙８にトナーが転写され、定着器１７により定着され、コピー画像として完成する。また、トナー転写後に感光体ドラム４の表面に付着している残留トナーはクリーニング装置１８により排除され、引き続き行われる静電潜像形成に備える。
【００１３】
図２は本発明の構成を示したもので、一対の紙搬送ローラ１５ａ、１５ｂは転写部１６直前に位置し、転写紙８の表面側すなわち感光体ドラム４に接する側に位置する紙搬送ローラの第１ローラ１５ａと反対側に位置する第２ローラ１５ｂとからなる。第１ローラ１５ａと第２ローラ１５ｂはそれぞれ体積抵抗が１×１０10Ω・ｃｍ以上を有する材質で構成されていて、かつ転写紙８と第１ローラ１５ａの帯電極性が逆極で、転写紙８と第２ローラ１５ｂの帯電極性が同極で、さらに第１ローラ１５ａと第２ローラ１５ｂの帯電極性では第１ローラ１５ａが転写紙８と逆極性になるもので構成する。すなわち本実施例では、第１ローラ１５ａをポリアセタール（商品名ジュラコン）のプラスチックローラで、第２ローラ１５ｂをエチレン−プロピレンのゴムローラで構成している。そして、第１ローラ１５ａと第２ローラ１５ｂとはそれぞれ図中の矢印方向に互いに圧接しながら強制的に回転駆動されて、転写紙８を転写部１６へと搬送するべく構成されている。
【００１４】
したがって、本実施例では転写紙８が一対の紙搬送ローラ１５ａ、１５ｂを通過する時には、転写紙８は正極性の比較的低い帯電位に帯電し、第１ローラ１５ａは負極性の比較的高い帯電位に帯電し、第２ローラ１５ｂは正極性の比較的高い帯電位に帯電する。その結果転写紙８の表面側に付着している正極性の紙粉は第１ローラ１５ａ、第２ローラ１５ｂおよび紙粉自身による上向きの電界により第１ローラ１５ａへと確実に静電吸着される。第１ローラ１５ａに吸着した紙粉はシート状の第１クリーニング部材１９ａによって第１ローラ１５ａの表面から分離され除去されるのである。
【００１５】
なお、本実施例では第１ローラ１５ａをポリアセタール（商品名ジュラコン）のプラスチックローラで、第２ローラ１５ｂをエチレン−プロピレンのゴムローラで構成しているが、複写装置の紙搬送ガイド板１３、１４の使用する材質により転写紙８の帯電極性が逆になった場合には第１ローラ１５ａ、第２ローラ１５ｂの材質を入れ換えるように設計すればよい。
【００１６】
また、前述したように第１ローラ１５ａにはシート状の第１クリーニング部材１９ａが取り付けてあり、転写紙８の裏面にある紙粉は直接的には感光体４への影響を与えないが、第２ローラ１５ｂに付着した若干の紙粉が第１ローラ１５ａに転移し、第１ローラ１５ａが紙粉で汚染するのを防止するためにシート状の第２クリーニング部材１９ｂを取り付けてある。クリーニング部材１９ａ、１９ｂは厚さ１ｍｍ程度のシート状の非導電性の不織布（フェルトなど）であり、第１ローラ１５ａ、第２ローラ１５ｂにニップ幅（ローラとの接触幅）３ｍｍ程度確保できるよう押しつけて取り付けてある。クリーニング部材１９ａ、１９ｂで取り除かれた紙粉が溜り過ぎて擦り抜けないように、第１クリーニング部材１９ａは第１ローラ１５ａとはローラ中心を通る水平線より下にあると共に第１ローラ１５ａの中心を通る水平線よりも第１ローラ１５ａの回転下流側でかつ第１と第２ローラ接触点より回転上流側の位置に取り付けてあり、第２クリーニング部材１９ｂは第２ローラ１５ｂとは第２ローラ１５ｂ中心を通る水平線より下にあるとともに第２ローラ１５ｂの中心より垂下した垂直軸線よりも回転下流側でかつ第２ローラ１５ｂ中心を通る水平線より回転上流側の位置に取り付けてある。これにより、薄いシートの取り付けとローラ自身の回転力利用という簡単な構成で、紙粉を除去するための十分なニップ幅を確保できるとともに、除去された紙粉が自重でニップ位置より吐き出され、取り除かれた紙粉が溜り過ぎないようにすることができる。
【００１７】
【発明の効果】
以上詳述しましたように本発明は、転写紙から生じた紙粉を効率よく吸着して確実に転写紙表面および紙搬送ローラ表面から除去することができる。そのために、紙粉がクリーニングブレードのエッジと感光体表面の間に噛み込む量が激減し、クリーニング不良や感光体表面キズの発生をなくせることができ、さらにトナーリサイクルタイプの装置での紙粉混入による画像欠陥の発生を減らすことができ、安価で簡便なかつコンパクトな構成で使用者に長期間かつ高画質の画像を提供することができるといったような効果が得られる。
【図面の簡単な説明】
【図１】本発明の一実施例における電子写真複写装置に関する概略図
【図２】本発明の一実施例における電子写真複写装置に関する構成図
【符号の説明】
４  感光体ドラム
６  現像器
７  給紙カセット
８  転写紙
１５  紙搬送ローラ
１５ａ  第１ローラ
１５ｂ  第２ローラ
１６  転写部
１９ａ  第１クリーニング部材
１９ｂ  第２クリーニング部材
【図１】
0003855352.tif 000002
【図２】
0003855352.tif 000003